(57)【要約】【課題】相手側端子を各ハウジング間で共通化すると共に、各ハウジング内に収容される全ての端子を二重係止することにより、コストダウン及び信頼性の向上を図った合体コネクタを提供する。【解決手段】上段ハウジング１０に収容された雌ターミナルＴ１は、端子収容室Ｃ１内の積層方向Ｙ１上段ハウジング１０側に向かって突起する可撓性の第１端子係止ランス１１ａによって一次係止され、第１端子係止ランス１１ａと下段ハウジング２０に設けられ積層方向Ｙ１上段ハウジング１０側に向かって突起する第２係止突起２２ａとの当接によって二次係止される。一方、下段ハウジング２０に収容された雌ターミナルＴ２は、第２端子係止ランス２１ａによって一次係止され、上段ハウジング１０に設けられ積層方向Ｙ１下段ハウジング２０側に向かって突起する第１係止突起１１ｂによって二次係止される。【選択図】図４
2007095360.tif 000002
【特許請求の範囲】
【請求項１】
互いに積層され、かつ各々に端子収容室が設けられた複数のハウジングを備えた合体コネクタにおいて、
前記複数のハウジングのうち一つが、該一つから当該一つに積層される他の一つに向かって突起し、前記他の一つの端子収容室内に進入して当該端子収容室に収容された端子を係止し該端子の抜けを防止する係止突起と、前記一つの端子収容室内に収容される端子を係止すると共に前記一つと前記他の一つとが積層された状態で前記他の一つのハウジングが当接する位置に設けられた端子係止ランスとを有することを特徴とする合体コネクタ。
【請求項２】
前記一つと前記他の一つのハウジングとの各々には、前記係止突起が前記他の一つの端子収容室に収容される端子を係止し、かつ前記端子係止ランスが前記他の一つと当接する位置で、互いを係止する係止手段を有することを特徴とする請求項１記載の合体コネクタ。
【発明の詳細な説明】
【技術分野】
【０００１】
本発明は、合体コネクタに係り、特に、互いに積層され、かつ各々に端子収容室が設けられた複数のハウジングを備えた合体コネクタに関するものである。
【背景技術】
【０００２】
上述した合体コネクタとして、例えば図９及び図１０に示すジョイントコネクタが提案されている（例えば特許文献１）。図９は従来のジョイントコネクタの一例を示す分解斜視図であり、図１０は図９に示すジョイントコネクタのＩ−Ｉ線断面図である。
【０００３】
同図に示すように、ジョイントコネクタは、３つの雄コネクタ５１、５２、５３（ハウジング）を積層して構成している。各雄コネクタ５１、５２、５３内には、端子収容室が形成されており、電線６１、６２、６３端部に固着された雌ターミナル７１、７２、７３（図１０）が嵌挿されている。この雌ターミナル７１、７２、７３は抜け止め防止用の端子係止ランス８１、８２、８３によって端子収容室内に係止されている。
【０００４】
また、雄コネクタ５３の雄コネクタ５２側に面した側壁上には、雄コネクタ５２と連結するための係止突起９３及び突起挿入孔１０３が２対互いに隣接して設けられている。一方、雄コネクタ５２の雄コネクタ５３側に面した側壁上には、雄コネクタ５３の突起挿入孔１０３に対向した位置に係止突起９２ａが形成され、その係止突起９２ａに隣接し雄コネクタ５３の係止突起９３に対向する位置に突起挿入孔１０２が形成されている。
【０００５】
また、雄コネクタ５２の雄コネクタ５１側に面した側壁上には、雄コネクタ５１と連結するための係止突起９２ｂが２対互いに隣接して設けられている。さらに、雄コネクタ５１の雄コネクタ５２側に面した側壁上には、雄コネクタ５２の係止突起９２ｂに対向した位置に突起挿入孔１０１が形成されている。突起挿入孔１０１、１０２、１０３の配置位置に雌ターミナル７１、７２、７３のくびれ部が位置するようにして係止突起９２ｂ、９３、９２ａにより雌ターミナル７１、７２、７３が二重係止される。
【０００６】
しかしながら、上述したジョイントコネクタにおいて、図１０に示すように、係止突起９２ｂ、９３は積層方向Ｙ１図面上側に向かって突起しているのに対して、係止突起９２ａは積層方向Ｙ１図面下側に向かって突起している。これにより、係止突起９２ａ、９２ｂ、９３を積層方向Ｙ１上に並べて配置することができない。言い換えると、係止突起９２ｂ、９３と係止突起９２ｂとで、雌ターミナル７１、７２、７３の長手方向Ｙ３における位置が異なる。
【０００７】
このため、係止突起９２ｂ、９３、９２ａが挿入される突起挿入孔１０１、１０２、１０３の配置位置に雌ターミナル７１、７２、７３のくびれが位置するように配置すると、雌ターミナル７１、７２、７３の先端位置が雌ターミナル７１、７２と雌ターミナル７３とでは異なる。図１０では、雌ターミナル７３の先端位置が雌ターミナル７１、７２の先端位置よりも長手方向Ｙ３後端側に配置されている。このため、雌ターミナル７３に嵌合する相手側雄ターミナルの長さを、雌ターミナル７１、７２に嵌合する相手側雄ターミナルの長さよりも長くする必要があった。つまり、雌ターミナル７３専用の雄ターミナルを設ける必要があり、コスト的に問題がある。
【０００８】
また、特許文献２には、各雄コネクタ内の雌ターミナルに嵌合する相手側雄ターミナルの長さを共通にできるジョイントコネクタが記載されている。しかしながら、このジョイントコネクタは積層方向最上段の雄コネクタ内の雌ターミナルについては二重係止されておらず、最上段の雌ターミナルに抜けが生じる恐れがある。
【特許文献１】特開平６−１８１０７８号公報
【特許文献２】特開２００４−３３５３０５号公報
【発明の開示】
【発明が解決しようとする課題】
【０００９】
そこで、本発明は、上記のような問題点に着目し、相手側端子を各ハウジング間で共通化すると共に、各ハウジング内に収容される全ての端子を二重係止することにより、コストダウン及び信頼性の向上を図った合体コネクタを提供することを課題とする。
【課題を解決するための手段】
【００１０】
上記課題を解決するためになされた請求項１記載の発明は、互いに積層され、かつ各々に端子収容室が設けられた複数のハウジングを備えた合体コネクタにおいて、前記複数のハウジングのうち一つが、該一つから当該一つに積層される他の一つに向かって突起し、前記他の一つの端子収容室内に進入して当該端子収容室に収容された端子を係止し該端子の抜けを防止する係止突起と、前記一つの端子収容室内に収容される端子を係止すると共に前記一つと前記他の一つとが積層された状態で前記他の一つのハウジングが当接する位置に設けられた端子係止ランスとを有することを特徴とする合体コネクタに存する。
【００１１】
請求項１記載の発明によれば、複数のハウジングのうち一つに収容された端子は、端子係止ランスを他の一つのハウジングに当接させて、端子係止ランスを他の一つ側に撓まないようにすることによって二次係止される。これに対して、他の一つに収容された端子は、一つのハウジングに設けられた係止突起によって二次係止される。従って、一つのハウジングに設けた端子係止ランスと他の一つのハウジングとを当接して二次係止することにより、一つのハウジング内に収容された端子を直接係止しない構成で二重係止することができる。これにより、一つ及び他の一つのハウジング内の端子収容室に収容される双方の端子を長手方向同位置に配置しても、双方の端子を二重係止することができる。
【００１２】
請求項２記載の発明は、前記一つと前記他の一つのハウジングとの各々には、前記係止突起が前記他の一つの端子収容室に収容される端子を係止し、かつ前記端子係止ランスが前記他の一つと当接する位置で、互いを係止する係止手段を有することを特徴とする請求項１記載の合体コネクタに存する。
【００１３】
請求項２記載の発明によれば、一つと他の一つのハウジングの各々は、係止突起が他の一つの端子収容室に収容される端子を係止し、かつ端子係止ランスが他の一つのハウジングと当接する位置で、互いを係止する係止手段を有する。以上の構成によれば、一つのハウジングに収容される端子が中途挿入状態、つまり端子係止ランスにより係止されていない場合、端子係止ランスが他の一つ側に向かって撓み、他の一つのハウジングと端子係止ランスとの当接位置で、係止手段により一つと他の一つのハウジングとを互いに係止することができない。また、他の一つのハウジングに収容される端子が途中挿入状態、つまり係止突起により係止されていない場合、係止突起が本来の係止位置まで進入できないため、係止手段により一つと他の一つのハウジングとを互いに係止することができない。
【発明の効果】
【００１４】
以上説明したように請求項１記載の発明によれば、一つのハウジングに設けた端子係止ランスと他の一つハウジングとを当接して二次係止することにより、一つのハウジング内に収容された端子を直接係止しない構成で二重係止することができる。これにより、一つ及び他の一つのハウジング内の端子収容室に収容される双方の端子を長手方向同位置に配置しても、双方の端子を二重係止することができるので、相手側端子を一つ及び他の一つのハウジング間で共通化することができ、コストダウンを図ることができ、しかも、一つ及び他の一つのハウジングの端子収容室に収容された双方の端子を二重係止して信頼性の向上を図ることができる。
【００１５】
請求項２記載の発明によれば、一つのハウジングに収容される端子が中途挿入状態、つまり端子係止ランスにより係止されていない場合、端子係止ランスが他の一つ側に向かって撓み、他の一つのハウジングと端子係止ランスとの当接位置で、係止手段により一つと他の一つのハウジングとを互いに係止することができない。また、他の一つのハウジングに収容される端子が途中挿入状態、つまり係止突起により係止されていない場合、係止突起が本来の係止位置まで進入できないため、係止手段により一つと他の一つのハウジングとを互いに係止することができないので、端子の途中挿入を検知することができる。
【発明を実施するための最良の形態】
【００１６】
以下、本発明の実施形態を図面に基づいて説明する。図１は本発明の合体コネクタの一実施形態を示す斜示図であり、図２は図１に示す合体コネクタの分解斜視図である。図３は図２に示す合体コネクタの側面図であり、図４は図１に示す合体コネクタのＩＩ−ＩＩ線断面図である。図５は図２に示す合体コネクタの部分正面図である。図６は雌ターミナルＴ１が中途挿入状態であるときの図１に示す合体コネクタのＩＩ−ＩＩ線部分断面図であり、図７は雌ターミナルＴ２が中途挿入状態であるときの図１に示す合体コネクタのＩＩ−ＩＩ線部分断面図である。図８は他の実施形態における本発明の合体コネクタを示す図である。
【００１７】
図１〜図５に示すように、この合体コネクタは、端子収容室Ｃ１（図４及び図５）が設けられた合成樹脂製の上段ハウジング１０（一つのハウジング）と、端子収容室Ｃ２（図４）が設けられた合成樹脂製の下段ハウジング２０（他の一つのハウジング）とを備え、上段ハウジング１０及び下段ハウジング２０が互いに積層されている。上述した上段ハウジング１０及び下段ハウジング２０には、同じ部屋数の複数の端子収容室Ｃ１及びＣ２が並設されている。なお、本実施形態では、例えば９部屋づつの端子収容室Ｃ１及びＣ２が並設されて成形されている。
【００１８】
上段ハウジング１０の各端子収容室Ｃ１には、図４に示すように、電線Ｌ１端部に固着された雌ターミナルＴ１（端子）が収容され、下段ハウジング２０の各端子収容室Ｃ２には、電線Ｌ２端部に固着された雌ターミナルＴ２（端子）が収容されている。
【００１９】
まず、上段ハウジング１０の構成について説明する。上段ハウジング１０は、略箱型であり、端子収容室Ｃ１の積層方向Ｙ１下段ハウジング２０側を区画する下壁１１（図４）、端子収容室Ｃ１の積層方向Ｙ１上段ハウジング１０側を区画する上壁１２及び端子収容室Ｃ１の並設方向Ｙ２を区画する複数の隔壁１３から主に構成されている。また、図４に示すように、上段ハウジング１０の雌ターミナルＴ１の長手方向Ｙ３先端側には、雌ターミナルＴ１と嵌合する雄ターミナル（図示せず）を挿入するための相手端子挿入孔１４が形成され、長手方向Ｙ３後端側は雌ターミナルＴ１を端子収容室Ｃ１内に挿入するための収容端子挿入孔１５が形成されている。
【００２０】
上述した下壁１１の雌ターミナルＴ１の長手方向Ｙ３先端側には、先端側に向かうに従って下段ハウジング２０側から上段ハウジング１０側に向かって突起する可撓性を有する第１端子係止ランス１１ａ（端子係止ランス）が設けられている。また、下壁１１の第１端子係止ランス１１ａよりも長手方向Ｙ３後端側には、上段ハウジング１０側から下段ハウジング２０側に向かって突起し、下段ハウジング２０の端子収容室Ｃ２に進入して端子収容室Ｃ２に収容された雌ターミナルＴ２を係止して雌ターミナルＴ２の抜けを防止する第１係止突起１１ｂ（係止突起）が設けられている。上述した第１端子係止ランス１１ａは各端子収容室Ｃ１毎に設けられている。また、第１係止突起１１ｂも各端子収容室Ｃ２毎に設けられている。
【００２１】
上述した第１端子係止ランス１１ａは、図４に示すように、上段及び下段ハウジング１０、２０が積層された状態で下段ハウジング２０の後述する第２係止突起２２ａが当接する位置に設けられている。つまり、第２係止突起２２ａと当接させるために、第１端子係止ランス１１ａは第１係止突起１１ｂと同じく下段ハウジング２０と対向する下壁１１に設けられている。
【００２２】
上述した上壁１２の積層方向Ｙ１上段ハウジング１０側の面には、図１に示すように、合体コネクタと嵌合する相手側コネクタハウジング（図示せず）を係止する係止ロック部１２ａと、相手側コネクタハウジングに長手方向Ｙ３を案内するガイド突部１２ｂとが設けられている。
【００２３】
上述した複数の隔壁１３の一部には、図２及び図５に示すように、その長手方向Ｙ３先端側に下段ハウジング２０の後述する先端係止突起２２ａ１（係止手段）と係止する長手方向Ｙ３に沿った先端係止溝１３ａ（係止手段）が形成されている。また、複数の隔壁１３のうち並設方向Ｙ２両端にある隔壁１３の外面には、図１〜図３に示すように、その長手方向Ｙ３後端側に下段ハウジング２０の後述する後端係止溝２３ｂ（係止手段）と係止する後端係止突起１３ｂ（係止手段）が形成され、相手側コネクタハウジングに長手方向Ｙ３を案内するガイド突部１３ｃも形成されている。さらに、複数の隔壁１３のうち並設方向Ｙ２両端にある隔壁１３の積層方向Ｙ１下段ハウジング２０側端部には上下段ハウジング１０、２０の積層時の位置決めを行うための位置決め突起１３ｄが設けられている。
【００２４】
次に、下段ハウジング２０の構成について説明する。下段ハウジング２０は、略箱型であり、端子収容室Ｃ２の積層方向Ｙ１下段ハウジング２０側を区画する下壁２１（図４）、端子収容室Ｃ２の積層方向Ｙ１上段ハウジング１０側を区画する上壁２２及び端子収容室Ｃ２の並設方向Ｙ２を区画する複数の隔壁２３から主に構成されている。また、下段ハウジング２０の雌ターミナルＴ２の長手方向Ｙ３先端側には、図４に示すように、雌ターミナルＴ２と嵌合する雄ターミナル（図示せず）を挿入するための相手端子挿入孔２４が形成され、長手方向Ｙ３後端側は雌ターミナルＴ２を端子収容室Ｃ２内に挿入するための収容端子挿入孔２５が形成されている。
【００２５】
上述した下壁２１の雌ターミナルＴ２の長手方向Ｙ３先端側には、先端側に向かうに従って積層方向Ｙ１上段ハウジング１０側に向かって突起する可撓性を有する第２端子係止ランス２１ａが設けられている。第２端子係止ランス２１ａは、各端子収容室Ｃ２毎に設けられている。
【００２６】
また上述した上壁２２の積層方向Ｙ１上段ハウジング１０側の面には、その長手方向Ｙ３先端側に積層方向Ｙ１上段ハウジング１０側に向かって突起し、上段ハウジング１０に設けられた第１端子係止ランス１１ａと当接する第２係止突起２２ａが設けられている。この第２係止突起２２ａは、各端子収容室Ｃ１毎に設けられている。さらに上述した上壁２２の積層方向Ｙ１上段ハウジング１０側の面には、図２に示すように、第２係止突起２２ａの長手方向Ｙ３後端側に隣接して、上段ハウジング１０の第１係止突起１１ｂが挿入される突起挿入孔２２ｂが設けられている。
【００２７】
上述した複数の第２係止突起２２ａの一部には、図２及び図５に示すように、その長手方向Ｙ３先端側に上段ハウジング１０の先端係止溝１３ａと係止する長手方向Ｙ３に沿った先端係止突起２２ａ１が形成されている。また、複数の隔壁２３のうち並設方向Ｙ２両端にある隔壁２３の外面には、その長手方向Ｙ３後端側に上段ハウジング１０の後端係止突起１３ｂと係止する後端係止溝２３ｂが形成されている。さらに、複数の隔壁２３のうち並設方向Ｙ２両端にある隔壁２３の積層方向Ｙ２上段ハウジング１０側端部には上下段ハウジング１０、２０の積層時の位置決めを行うための位置決め溝２３ｃ（図２及び図３）が設けられている。
【００２８】
また、図４からも明らかなように、上下段ハウジング１０、２０を積層して係止した状態で、第１端子係止ランス１１ａ及び第２端子係止ランス２１ａとが積層方向Ｙ１上に並んで配置されるように設けられている。言い換えると、同型の雌ターミナルＴ１及びＴ２は長手方向Ｙ３同位置に収容されるようになっている。
【００２９】
上述した雌ターミナルＴ１及びＴ２は、図４に示すように、同一形状であり、雄ターミナルが進入する筒部Ｐと、電線Ｌ１及びＬ２を圧着接続する接続部Ｃｏとをそれぞれ有する。図４からも明らかなように筒部Ｐの高さは接続部Ｃｏの高さよりも高く、筒部Ｐの後端には段差が設けられている。また上述した筒部Ｐには、上述した第１及び第２端子係止ランス１１ａ、２１ａの一部が挿入される係止孔Ｈが設けられている。
【００３０】
次に、上述した構成の合体コネクタの組立方法について説明する。まず、上段及び下段コネクタ１０、２０が互いに積層されていない状態で、各端子収容室Ｃ１及びＣ２内に雌ターミナルＴ１及びＴ２を挿入する。雌ターミナルＴ１は、上段ハウジング１０の後端に設けられた収容端子挿入孔１５から端子収容室Ｃ１に挿入され、下壁１１に沿って先端に向かって進入される。雌ターミナルＴ１の筒部Ｐが第１端子係止ランス１１ａまで進入すると、第１端子係止ランス１１ａは積層方向Ｙ１下段ハウジング２０側に撓む。
【００３１】
さらに進入して雌ターミナルＴ１の係止孔Ｈが第１端子係止ランス１１ａに達すると、第１端子係止ランス１１ａは積層方向Ｙ１上段ハウジング１０側に復元して、係止孔Ｈ内に挿入される。これにより、第１端子係止ランス１１ａは雌ターミナルＴ１を一次係止し、雌ターミナルＴ１が端子収容室Ｃ１に収容保持される。雌ターミナルＴ２も雌ターミナルＴ１と同様に収容端子挿入孔２５から端子収容室Ｃ２内に挿入すると、第２端子係止ランス２１ａによって一次係止され、雌ターミナルＴ２が端子収容室Ｃ２に収容保持される。
【００３２】
次に、上段及び下段ハウジング１０、２０を合体させる。まず、上段ハウジング１０の位置決め突起１３ｄを下段ハウジング２０の位置決め溝２３ｃの位置に合わせ、位置決め突起１３ｄを支点として上段ハウジング１０を回転させる。つまり、上段ハウジング１０後端側を積層方向Ｙ１下段ハウジング２０側に移動させて、第１係止突起１１ｂを突起挿入孔２２ｂ内に挿入する。第１係止突起１１ｂをさらに突起挿入孔２２ｂ内の積層方向Ｙ１下段ハウジング２０側に挿入すると、上段ハウジング１０の後端係止突起１３ｂが下段ハウジング２０の後端係止溝２３ｂ内に挿入されると共に、上段ハウジング１０の先端係止溝１３ａ内に下段ハウジング２０の先端係止突起２２ａ１が挿入され、上段ハウジング１０と下段ハウジング２０とが互いに係止される。
【００３３】
図４に示すように、上段ハウジング１０及び下段ハウジング２０が互いに係止された状態で、第１係止突起１１ｂが端子収容室Ｃ２内に進入し、雌ターミナルＴ２の筒部Ｐと接続部Ｃｏとの段差を係止して、雌ターミナルＴ２を二次係止する。また、第２係止突起２２ａが第１端子係止ランス１１ａの積層方向Ｙ１下段ハウジング２０側に当接する。これにより、第１端子係止ランス１１ａを第２係止突部２２ａよりも積層方向Ｙ１下段ハウジング２０側に撓まないようにして、雌ターミナルＴ１を二次係止する。
【００３４】
以上の合体コネクタによれば、第１端子係止ランス１１ａと第２係止突起２２ａとを当接して二次係止することにより、第２係止突起２２ａにより第１端子係止ランス１１ａを直接係止しない構成で二重係止することができる。これにより、雌ターミナルＴ１及びＴ２を長手方向Ｙ３同位置に配置しても、双方の雌ターミナルＴ１及びＴ２を二重係止することができる。このため、雌ターミナルＴ１及びＴ２と嵌合する雄ターミナルを上段及び下段ハウジング１０、２０間で共通化することができ、コストダウンを図ることができる。しかも、上段及び下段ハウジング１０、２０の端子収容室Ｃ１及びＣ２に収容された双方の雌ターミナルＴ１及びＴ２を二重係止して信頼性の向上を図ることができる。
【００３５】
ところで、上段ハウジング１０の端子収容室Ｃ１に収容される雌ターミナルＴ１が途中挿入状態である場合、つまり第１端子係止ランス１１ａが雌ターミナルＴ１の係止孔Ｈに達していない場合、図６に示すように、第１端子係止ランス１１ａは点線で示す係止位置に対して積層方向Ｙ１下段ハウジング２０側に撓んだ状態となる。
【００３６】
このとき、第１端子係止ランス１１ａと第２係止突起２２ａとの当接位置で後端係止突起１３ｂと後端係止溝２３ｂとが係止できない。また先端係止溝１３ａと先端係止突起２２ａ１も係止できない。このため、上段及び下段ハウジング１０、２０を積層する際に雌ターミナルＴ１の途中挿入を検知することができる。
【００３７】
一方、下段ハウジング２０の端子収容室Ｃ２に収容される雌ターミナルＴ２が途中挿入状態である場合、つまり第２端子係止ランス２１ａが雌ターミナルＴ２の係止孔Ｈに達していない場合、図７に示すように、第１係止突起１１ｂが点線で示す係止位置に対して積層方向Ｙ１上段ハウジング１０側で雌ターミナルＴ２の筒部Ｐと当接する。このため、後端係止突起１３ｂと後端係止溝２３ｂとが係止できない。先端係止溝１３ａと先端係止突起２２ａ１も係止できない。これにより、上段及び下段ハウジング１０及び２０を積層する際に雌ターミナルＴ２の途中挿入も検知することができる。
【００３８】
なお、上述した実施形態では、上段及び下段ハウジング１０、２０の２段を積層していた。しかしながら、本発明はこれに限らず、例えば図８に示すように上段、中段、下段ハウジング１０、３０、２０のように３段積層しても良いし、３段以上積層してもよい。即ち、本発明の合体コネクタは、少なくとも一対のハウジングを備えていればよい。図８に示す３段の場合、上段ハウジング１０が一つのハウジングに相当し、中段ハウジング３０が上段ハウジング１０に対して他の一つのハウジングに相当する。一方、下段ハウジング２０が他の一つのハウジングに相当し、中段ハウジング３０が下段ハウジングに対しては一つのハウジングに相当する。
【００３９】
また、上述した実施形態では、下段ハウジング２０に設けた第２係止端子ランス２１ａは、端子収容室Ｃ２内の積層方向Ｙ１上段ハウジング１０側に向かって突起していた。しかしながら、第２係止端子ランス２１ａの突起方向はこれに限定されるものではなく、例えば、並設方向Ｙ２に突起していても良いし、積層方向Ｙ１下段ハウジング２０側に向かって突起していてもよい。但し、図８に示すような３段以上の場合、上段ハウジング１０及び下段ハウジング２０間にある中段ハウジング３０は他の一つのハウジングだけでなく、一つのハウジングとしても機能するため、端子係止ランスは積層方向Ｙ１上段ハウジング１０側に突起させる必要がある。
【００４０】
また、上述した実施形態では、端子収容室Ｃ１及びＣ２には雌ターミナルＴ１及びＴ２を収容していた。しかしながら、本発明はこれに限らず、端子であればよく例えば雄ターミナルを収容することも考えられる。
【００４１】
また、上述した実施形態では、上段及び下段ハウジング１０、２０には同じ部屋数（９部屋）の端子収容室Ｃ１及びＣ２を設けていた。しかしながら、本発明はこれに限らず、上段ハウジング１０と下段ハウジング２０とで異なる部屋数の端子収容室Ｃ１及びＣ２を設けてもよい。この場合、上段ハウジング１０には、下段ハウジング２０の端子収容室Ｃ２数に相当する数の第１係止突起１１ｂを設け、下段ハウジング２０には、上段ハウジング１０の端子収容室Ｃ１数に相当する数の第２係止突起２２ａを設ければよい。
【００４２】
また、上述した実施形態では、上段及び下段ハウジング１０、２０に複数の端子収容室Ｃ１及びＣ２を並設していた。しかしながら、上段及び下段ハウジング１０、２０に設ける端子収容室Ｃ１及びＣ２数はこれに限らず、例えば１つであってもよい。
【００４３】
さらに、上述した実施形態では、第１端子係止ランス１１ａは下段ハウジング２０に設けた第２係止突起２２ａと当接していた。しかしながら、本発明は上段及び下段ハウジング１０、２０を積層した状態で、第１端子係止ランス１１ａと下段ハウジング２０とが当接するように設けていればよく、突起と当接させなくてもよい。例えば第１端子係止ランス１１ａと下段ハウジング２０のフラットな上壁２２とが当接するようにしてもよい。
【００４４】
また、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００４５】
【図１】本発明の合体コネクタの一実施の形態を示す斜示図である。
【図２】図１に示す合体コネクタの分解斜示図である。
【図３】図２に示す合体コネクタの側面図である。
【図４】図１に示す合体コネクタのＩＩ−ＩＩ線断面図である。
【図５】図２に示す合体コネクタの部分正面図である。
【図６】雌ターミナルＴ１が中途挿入状態であるときの図１に示す合体コネクタのＩＩ−ＩＩ線部分断面図である。
【図７】雌ターミナルＴ２が中途挿入状態であるときの図１に示す合体コネクタのＩＩ−ＩＩ線部分断面図である。
【図８】他の実施形態における本発明の合体コネクタを示す断面図である。
【図９】従来のジョイントコネクタの一例を示す分解斜視図である。
【図１０】図９に示すジョイントコネクタのＩ−Ｉ線断面図である。
【符号の説明】
【００４６】
Ｃ１      端子収容室
Ｃ２      端子収容室
１０      上段ハウジング（一つのハウジング）
１１ａ    第１端子係止ランス（端子係止ランス）
１１ｂ    第１係止突起（係止突起）
１３ａ    先端係止溝（係止手段）
１３ｂ    後端係止突起（係止手段）
２０      下段ハウジング（他の一つのハウジング）
２２ａ１  先端係止突起（係止手段）
２３ｂ    後端係止溝（係止手段）
３０      中段ハウジング（一つのハウジング、他の一つのハウジング）
【図１】
2007095360.tif 000003
【図２】
2007095360.tif 000004
【図３】
2007095360.tif 000005
【図４】
2007095360.tif 000006
【図５】
2007095360.tif 000007
【図６】
2007095360.tif 000008
【図７】
2007095360.tif 000009
【図８】
2007095360.tif 000010
【図９】
2007095360.tif 000011
【図１０】
2007095360.tif 000012